(57)【要約】【課題】便座に臀部が触れても冷たくない快適で安全性の高い暖房便座を提供することを目的とするものである。【解決手段】ヒータ４を有する便座２と、この便座２の便座蓋３と、便座蓋３を自動で開閉する便座開閉装置７と、便座２の温度を検知する温度検知センサ６とを備え、前記便座２が所定温度になったことを温度検知センサ６が検知することにより、前記便座開閉装置７により便座蓋３を開成するようにしたことにより、便座２の温度が所定温度になったときに快適使用ができる。【選択図】  図１
2004321372.tif 000002
【特許請求の範囲】
【請求項１】
ヒータを有する便座と、この便座の便座蓋と、便座蓋を自動で開閉する便座開閉装置と、便座の温度を検知する温度検知センサとを備え、前記便座が所定温度になったことを温度検知センサが検知することにより、前記便座開閉装置により便座蓋を開成する暖房便座。
【請求項２】
便座の少なくとも人が触れる部分を良熱伝導性材料で構成した請求項１に記載の暖房便座。
【請求項３】
良熱伝導性材料として、ステンレス鋼を用いた請求項２に記載の暖房便座。
【請求項４】
便座表面をフッ素コート処理した請求項１〜３のいずれか１項に記載の暖房便座。
【請求項５】
温度検知センサは便座表面に接するように便座蓋に取り付けた請求項１〜４のいずれか１項に記載の暖房便座。
【請求項６】
温度検知センサは複数個有する請求項１〜５のいずれか１項に記載の暖房便座。
【請求項７】
便座のヒータは正の温度特性を有する面状発熱体である請求項１〜６のいずれか１項に記載の暖房便座。
【発明の詳細な説明】
【０００１】
【発明の属する技術分野】
本発明は、便器の上に設置され使用者の臀部を暖めるための暖房便座に関するものである。
【０００２】
【従来の技術】
従来、この種の暖房便座としては、人体検知により便座を暖めるようにして使用性を高めたものが知られている（例えば、特許文献１参照）。
【０００３】
【特許文献１】
特開平１１−２９９７０４号公報
【０００４】
【発明が解決しようとする課題】
しかしながら、前記従来の構成では、人が使用する際に素早く行動をされたのでは、便座が暖まる前に臀部が触れてしまうことがあり、この場合、不快感を感ずるという課題があった。
【０００５】
本発明は、前記従来の課題を解決するもので、人が使用する際には便座が所定温度になっていて快適使用を可能とした暖房便座を提供することを目的とするものである。
【０００６】
【課題を解決するための手段】
前記目的を達成するために、本発明の暖房便座は、便座が所定温度になったことを温度検知センサが検知することにより、便座開閉装置により便座蓋を開成するようにしたものである。
【０００７】
これにより、人が使用する際には、すなわち便座蓋が開成すると、便座は所定温度になっていて快適使用が可能となるものである。
【０００８】
【発明の実施の形態】
請求項１に記載の発明は、ヒータを有する便座と、この便座の便座蓋と、便座蓋を自動で開閉する便座開閉装置と、便座の温度を検知する温度検知センサとを備え、前記便座が所定温度になったことを温度検知センサが検知することにより、前記便座開閉装置により便座蓋を開成する暖房便座としたことにより、人が使用する際には、すなわち便座蓋が開成すると、便座は所定温度になっていて快適使用が可能となるものである。
【０００９】
請求項２に記載の発明は、便座の少なくとも人が触れる部分を良熱伝導性材料で構成した請求項１に記載の暖房便座としたことにより、ヒータの通電加熱時に熱を素早く便座表面に伝達できるとともに、便座面全体の温度を均一にすることができため、人が使用する時のみヒータに通電する場合においても、便座を瞬間に暖かくでき省エネ性の優れた暖房便座とすることができる。
【００１０】
請求項３に記載の発明は、良熱伝導性材料として、ステンレス鋼を用いた請求項２に記載の暖房便座としたことにより、トイレでの使用環境、例えば酸／アルカリ／水に対して高耐久性であり、衛生的にも優れている暖房便座とすることができる。
【００１１】
請求項４に記載の発明は、便座表面をフッ素コート処理した請求項１〜３のいずれか１項に記載の暖房便座としたことにより、ステンレス鋼のみと比べ、耐久性もよく、防汚性も優れているのでお手入れが簡単にできる暖房便座とすることができる。
【００１２】
請求項５に記載の発明は、温度検知センサは便座表面に接するように便座蓋に取り付けた請求項１〜４のいずれか１項に記載の暖房便座としたことにより、便座表面の温度を素早く正確に測定することができ、便座が暖まっていることを正しく判断し臀部が触れても冷たくない（或いは熱すぎない）快適な便座温度となるものである。
【００１３】
請求項６に記載の発明は、温度検知センサは複数個有する請求項１〜５のいずれか１項に記載の暖房便座としたことにより、さらに正確に便座表面の温度を検知することが可能となり、着座時に快適な便座を得ることができる。
【００１４】
請求項７に記載の発明は、便座のヒータは正の温度特性を有する面状発熱体である請求項１〜６のいずれか１項に記載の暖房便座としたことにより、ヒータ通電時にヒータに高パワーが入り速熱性を実現でき、また、一定温度以上に上昇することを抑えることにより安全性が確保できる。
【００１５】
【実施例】
以下、本発明の実施例について、図を参照しながら説明する。
【００１６】
（実施例１）
図１、図２は本発明の実施例１における暖房便座を示すものである。
【００１７】
図１において、１は便器、２は便器１上に装備した便座、３は便座２に対してヒンジにより回動自在に取り付けた便座蓋、４は便座２内部に取り付けられた面状発熱体よりなるヒータで、例えば、導電性材料（カーボン、金属粉等）を樹脂に混練してシート状にしたもの、フィルムの上に印刷して形成したもの、あるいは繊維状の導電性材料を織って布状にしたもの等である。５は例えば、赤外線センサ、超音波センサ、光センサなどからなる人体検知のための人体検知センサ、６は便座蓋３に設けられ便座２の温度を検知する温度検知センサ、７は便座蓋３を自動で開閉する便座開閉装置である。
【００１８】
次に、図２に基づき各部の関連について説明する。人体検知センサ５からのヒータ通電制御信号８を得てヒータ４は通電される。そして、便座２の表面温度を温度検知センサ６により検知し、便座温度検知信号９を、あらかじめ便座２の温度を設定できる温度設定装置９ａに送る。便座２の表面温度が所定温度になれば、便座開閉制御信号１０を便座開閉装置７に送り、常には閉成している便座蓋３を自動的に開成するものである。
【００１９】
上記した暖房便座の動作・作用は次のとおりである。
【００２０】
最初に、人体検知センサ５によって人が使用することを直前に検知し、ヒータ通電制御信号８により便座２内部のヒータ４に通電する。このことにより便座２は所定の温度まで上昇する。便座蓋３に設けた温度検知センサ６によって便座２表面温度を検知し、温度設定装置９ａによってあらかじめ設定された温度に到達すると、便座蓋開閉制御信号１０により便座開閉装置７が動作して便座蓋３を開成する。このとき便座２表面の温度は、人の臀部が触れても冷たく感じないような温度となっており、快適使用ができるものである。人体を検知してから便座蓋３を開成するまでの時間は、ヒータ４の消費電力にもよるが、本実施例では１０００Ｗの時、１０秒以内で便座蓋３を開成するような設定としている。あまり開成時間が長すぎると不快に感じられるので１０秒以内が適当である。また、使用していないときにはヒータ４には通電されていないので、省エネ性を得ることができるものである。
【００２１】
（実施例２）
次に、図３は本発明の実施例２における暖房便座を示している。実施例１と同一要素については同一符号を付して説明を省略する。
【００２２】
本実施例においては、便座２は、便座上部１１と便座下部１２から構成されており、ヒータ４はその空間内で便座上部１１の裏面に密接して設けてある。そして、便座２の少なくとも人が触れる部分、すなわち便座上部１１を良熱伝導性材料（例えば、アルミニウム、銅、マグネシウム、ステンレス、鉄等の金属、窒化アルミニウム、窒化珪素、アルミナ等のセラミックス）で構成して、ヒータ４の通電加熱時に熱を素早く便座２表面に伝達するとともに、便座２面全体の温度を均一にして、人が使用する時のみヒータ４に通電する場合においても、便座２を瞬間に暖かくでき省エネ性の優れた暖房便座としている。
【００２３】
前記便座上部１１の良熱伝導性材料として、特にステンレス鋼を用いれば、トイレでの使用環境、例えば酸／アルカリ／水に対して高耐久性であり、衛生的にも優れた暖房便座となる。
【００２４】
さらに、便座２表面をフッ素コート処理することにより、ステンレス鋼のみと比べ、耐久性もよく、防汚性も優れているのでお手入れが簡単にできる暖房便座とすることができる。
【００２５】
（実施例３）
次に、図４は本発明の実施例３における暖房便座を示している。実施例１と同一要素については同一符号を付して説明を省略する。
【００２６】
本実施例においては、温度検知センサ６は便座２表面に密接するように便座蓋２の裏面に取り付けている。これにより、便座２表面の温度を素早く正確に測定することができ、便座２が暖まっていることを正しく判断し臀部が触れても冷たくない（或いは熱すぎない）快適な便座温度としているものである。
【００２７】
また、温度検知センサ６は、図示したとおり、複数個に分けて配置しているものであり、これにより、温度検知センサのヒートマスを小さくし、偏りなく正確に便座表面の温度を検知することが可能となり、着座時に快適な便座を得ることができる。
【００２８】
（実施例４）
次に、図５は本発明の実施例４における暖房便座のヒータ特性を示している。
【００２９】
図に示すように、本実施例においては、便座２のヒータ４は正の温度特性を有する面状発熱体としたものである。これにより、便座２の表面温度が低いとき（使用する前）は抵抗値が低くヒータ４に高パワーが入力され速熱性を実現でき、また、一定温度以上に上昇することを抑え最終的に一定温度に以上にはならず安全性が向上する。
【００３０】
【発明の効果】
以上のように、本発明の暖房便座によれば、便座が所定温度になったことを温度検知センサが検知することにより、便座開閉装置により便座蓋を開成するようにしたものであり、人が使用する際には、すなわち便座蓋が開成すると、便座は所定温度になっていて快適使用が可能となるものである。
【図面の簡単な説明】
【図１】本発明の実施例１における暖房便座の側面図
【図２】同暖房便座の動作を示すブロック図
【図３】本発明の実施例２における暖房便座の便座部分を示す断面斜視図
【図４】本発明の実施例３における暖房便座の便座を示す平面図
【図５】本発明の実施例４における暖房便座のヒータ特性を示す図
【符号の説明】
１  便器
２  便座
３  便座蓋
４  ヒータ
５  人体検知センサ
６  温度検知センサ
７  便座蓋開閉装置
１１  便座上部
【図１】
2004321372.tif 000003
【図２】
2004321372.tif 000004
【図３】
2004321372.tif 000005
【図４】
2004321372.tif 000006
【図５】
2004321372.tif 000007